(57)【特許請求の範囲】
【請求項１】
可動機構を有する可動配管部材の可動部分の前後に突出して設けられる固定片と、前記固定片に可動部分を跨いで固定される架橋部材とからなる仮固定装置であって、
前記架橋部材に、固定片を挟み込む挟持部材が固定片の方向に突出して設けられていることを特徴とする仮固定装置。
【請求項２】
前記挟持部材は、架橋部材の端部に形成されたねじ部に螺入した一対のナットで固定片に固定される請求項１に記載の仮固定装置。
【請求項３】
前記挟持部材は、架橋部材に対して回転不可に設置されている請求項１または２に記載の仮固定装置。
【請求項４】
前記挟持部材の固定片に当接する面には、固定片を嵌合する凹部が形成されている請求項１ないし３のいずれかに記載の仮固定装置。
【発明の詳細な説明】
【０００１】
【発明の属する技術分野】
本発明は、例えば水道管やガス管等の配管部材の一種として用いられている可動配管部材の可動部分の動きを一時的に制御する仮固定装置に関する。
【０００２】
【従来の技術】
可動部分を含む可動配管部材である伸縮可撓管Ａは、搬送時や配管接続時において吊り上げられたときに自重で曲がったり、管長が伸びたりすることがあるのでそれを防止するために、例えば図９に示す出願人等が開発した仮固定装置Ｂが用いられている。
【０００３】
伸縮可撓管Ａは、ストッパーＤが形成されたスライドパイプＣと、外周面が球状に形成されパッキンを介してスライドパイプＣに軸方向に摺動可能に外嵌しているボール体Ｅと、内周面に前記ボール体Ｅの外周面とほぼ同じ径の球状部が形成され、ボール体Ｅにパッキンを介して各方向に摺動可能に外嵌し、配管材に接続するフランジＦが形成されたケース体Ｇとによって構成されている。
【０００４】
伸縮可撓管Ａは、各部材がパッキンを介して水密に組み立てられており、スライドパイプＣとボール体Ｅ、また、ボール体Ｅとケース体Ｇが摺動することによって、フランジＦに接続された配管材の管軸軸方向の伸縮や管軸直角方向の偏心を吸収することができる。
【０００５】
仮固定装置Ｂは、固定ボルトＨと固定片ＫとナットＩ、Ｊからなり、ケース体Ｇの外周面の相対位置に、固定片Ｋが側面視左右対称に突設されており、各ケース体Ｇの対向する固定片Ｋには、両端にねじ部Ｍが形成された固定ボルトＨが固定片Ｋに形成された孔Ｌに挿通され、ナットＩ、Ｊにより固定されている。
【０００６】
固定ボルトＨの取り付けは、下記のように行われている。
【０００７】
▲１▼ 固定ボルトＨのねじ部Ｍに、対向する固定片Ｋの内側に当接するナットＪ、Ｊを螺入し、固定ボルトＨの中央側に移動させる。
【０００８】
▲２▼ 固定ボルトＨの一方の端部を固定片Ｋの孔Ｌに挿通し、固定ボルトＨが他方の固定片Ｋに当らない位置まで挿通した固定片Ｋの方向に移動させる。
【０００９】
▲３▼ 固定ボルトＨの他方の端部を固定片Ｋの孔Ｌに挿通し、所定の位置まで挿通した方向に移動させる。
【００１０】
▲４▼ はじめに螺入させたナットＪ、Ｊを固定片Ｋに当接するまで移動させ、固定ボルトＨの端部よりナットＩ、Ｉを螺入させて、固定片ＫをＩ、Ｊで挟み込んで固定する。
また、固定ボルトＨの取り外しは、下記のように行われている。
【００１１】
▲１▼ 両外側のナットＩ、Ｉを固定ボルトＨより取り外す。
【００１２】
▲２▼ 一方の内側のナットＪを固定ボルトＨの中央側に移動させる。
【００１３】
▲３▼ 移動させたナットＪの固定片Ｋの方向に、反対側の固定片Ｋの孔Ｌから固定ボルトＨの端部が抜け出すまで移動させる。
【００１４】
▲４▼ 固定ボルトＨを残りの固定片Ｋの孔Ｌより外す。
【００１５】
【発明が解決しようとする課題】
このような従来の仮固定装置においては、固定ボルトが固定片の孔に挿通されているために、前述のような手順で固定ボルトの取り付け、取り外しを行う必要があり、その作業に手間がかかり、組立コストの増加をもたらし、また、配管接続時の作業能率の低下を来すといった欠点が見出された。
【００１６】
本発明が解決しようとする課題は、上記問題を解決するためになされたもので、固定ボルトの固定片への取り付け、取り外し作業の簡単な可動配管部材の仮固定装置を提供する点にある。
【００１７】
【課題を解決するための手段】
上記課題を解決するために、本発明の仮固定装置は、可動機構を有する可動配管部材の可動部分の前後に突出して設けられる固定片と、前記固定片に可動部分を跨いで固定される架橋部材とからなる仮固定装置であって、
前記架橋部材に、固定片を挟み込む挟持部材が固定片の方向に突出して設けられていることを特徴としている。
この特徴により、固定片の方向に突出して設けられた挟持部材で固定片を挟み込むことができるので、挟持部材で固定片を押圧することによって架橋部材を取り付けることができ、押圧をとくことによって取り外すことができるので、架橋部材を大きく移動させる作業がなくなる。よって、架橋部材の固定片への取り付け、取り外しの作業能率が向上する。
また、固定片の突出量が少なくても可動部分を跨いで架橋部材を取り付けることができるので、仮固定装置を取り外したあとの可動配管部材に残る固定片を小さくすることができるばかりか、加工し難い固定片に穴や切欠き等の加工が不要になる。
【００１８】
前記挟持部材は、架橋部材の端部に形成されたねじ部に螺入した一対のナットで固定片に固定されるのが好ましい。
このようにすることで、挟持部材で固定片を挟み込み、ねじ部に螺入した一対のナットを挟持部材の両側から締め付けるだけで架橋部材を固定片に固定することができ、また、ナットを緩めるだけで固定片から架橋部材を外すことができる。よって、ナットの締め付け、緩めという簡単な作業で、固定片への架橋部材の取り付け、取り外しを行うことができる。
また、架橋部材に設けた挟持部材と、ねじ部と、ナットとの簡単な構造で固定片に固定できるので軽量で安価な仮固定装置を提供することができる。
【００１９】
前記挟持部材は、架橋部材に対して回転不可に設置されているのが好ましい。
このようにすると、挟持部材が架橋部材に対して回転しないので、架橋部材を固定片に取り付ける際に、挟持部材が安定して取り付け作業が行いやすく、作業性が向上する。
【００２０】
前記挟持部材の固定片に当接する面には、固定片を嵌合する凹部が形成されているのが好ましい。
このようにすると、挟持部材の凹部に固定片が嵌合されるので、固定片を外側から挟持部材で挟み込んだときに、固定片に対して挟持部材が回転することがなくなり、取り付け作業が行いやすく、作業性が向上する。
【００２１】
【発明の実施の形態】
以下、本発明の実施例を図面に基づいて説明する。
【００２２】
図１ないし図４は第１実施例を示しており、１は可動配管部材としての伸縮可撓管、２、２は、基部のフランジ２ａを介して水道管等の各端部に接続される一対のケース体、３、３は外周面が球面状に形成されたボール体、４はボール体３に挿入されるスライドパイプ、５、５は固定ボルト（架橋部材）を示している。
【００２３】
ケース体２の互いの対向部は開口し、内部は概ね球面状に形成されている。開口端部内面には拡径凹部が形成されており、各ケース体２内には、ボール体３が、拡径凹部に装着したパッキン２ｂを介して、摺動自在に嵌合されている。
【００２４】
各ケース体２の先端に円周方向に等間隔おきに形成された複数の内向片には、押輪６における環状凹溝が嵌合され、止めねじにより回り止めされている。
【００２５】
押輪６の内面は、ボール体３の外周面に摺動自在に面接触している。
【００２６】
各ボール体３の対向端部内には、スライドパイプ４が、ボール体３の内面の凹溝内に装着したパッキン３ａを介して摺動自在に挿入されている。
【００２７】
スライドパイプ４の両端部外周面に形成された環状凹溝には、円周方向の一部が切欠されたストッパリング７が嵌合され、ボルトの締着をもって固定されている。ストッパリング７には、ボール体３の内面中間部の段部が当接し、その抜け止めと最大伸長量が規制されるようになっている。
【００２８】
スライドパイプ４の中央側外周面には突設した２条のストッパー４ａが形成されている。ストッパー４ａには、ボール体３の対向端面が当接し、ボール体３とスライドパイプ４との最大相対縮退量が規制されるようになっている。
【００２９】
ケース体２の外周面の相対位置には、固定ボルト５を取り付ける固定片８が側面視左右対称に管軸に対してほぼ垂直に突設されている。
【００３０】
固定ボルト５は、所定の長さの棒状をしており、両端には、ねじ部５ａが成形され、軸方向に溝状の嵌合溝５ｂが２条形成されている。
【００３１】
固定ボルト５は、所定の長さの板材やＬ型等の型鋼の両端に、ねじ部材を取り付けたものでもよい。
【００３２】
挟持部材９は、一方の端部に、ねじ部５ａが挿入される貫通孔９ａが形成され、貫通孔９ａの内周部には、ねじ部５ａに設けられた嵌合溝５ｂに係合する凸部９ｂが２個凸設されており、固定片８に当接する面の貫通孔９ａの反対側には、固定片８が嵌合される凹部９ｃが形成されている。
【００３３】
各ケース体２の対向する固定片８には、貫通孔９ａにねじ部５ａが挿入され、ワッシャー１２を介してナット１０により押圧された挟持部材９が固定片８を挟み込み、固定ボルト５が取り付けられている。ねじ部５ａの嵌合溝５ｂと貫通孔９ａの凸部９ｂが係合しているので、挟持部材９は固定ボルト５に対して回転しない状態で取り付けられている。
【００３４】
固定ボルト５の取り付けは、はじめに、ねじ部５ａにナット１０、ワッシャー１２、凹部９ｃを向き合わせた一組の挟持部材９、ワッシャー１２、ナット１０を順に取り付ける。つぎに、挟持部材９の間隔を固定片８の厚さより若干大きく調整し、挟持部材９の凹部９ｃに固定片８を嵌合させる。そして、挟持部材９の両側に位置したナット１０を締め付けて固定ボルト５の固定片８への固定を終了する。
【００３５】
伸縮可撓管１の配管終了後に固定ボルト５を取り外すには、ナット１０を緩め、固定ボルト５を凹部９ｃの開口方向に移動させて行われる。
【００３６】
固定ボルト５が、一対のケース体２の間に形成された可動部分を跨いで取り付けられているので、吊金具２ｃにワイヤー等を掛けて伸縮可撓管１を吊り上げても屈曲したり伸縮したりすることがなく、搬送時や配管接続時において不用意に可動部が作動することが防止されている。
【００３７】
固定ボルト５は、挟持部材９で固定片８を挟みこんで取り付けられているので、挟持部材９を押圧しているナット１０を緩めることによって取り外すことができ、固定片８を挟み込むナット１０を大きく移動させたり、ねじ部５ａより取り外したりすることなく、固定片８からの着脱を行うことができる。
【００３８】
また、固定片８を締め付けている挟持部材９が、固定ボルト５から固定片９方向に突出して設けられているので、固定片８は、ケース体２からの突出量が少なくても固定ボルト５を取り付けることができる。
【００３９】
図５ないし図８は、本発明の第２実施例を示しており、伸縮可撓管１は、第１実施例と同様に構成され、固定ボルト５が左右それぞれの可動部分に取り付けられている点で相違している。
【００４０】
スライドパイプ４の中央側外周面には、２分割された固定片バンド１１が２個所にボルト・ナット１１ｃによって取り付けられている。固定片バンド１１には、取り付けられた固定ボルト５が伸縮可撓管１の軸と平行になる高さに、ねじ部５ａが挿入される貫通孔１１ｂが開けられた固定片１１ａが突設して設けられている。
【００４１】
固定ボルト５は、所定の長さの棒状をしており、両端には、ねじ部５ａが成形されている。
【００４２】
挟持部材９は、一方の端部に、ねじ部５ａが挿入される貫通孔９ａが孔設され、固定片８に当接する面の貫通孔９ａの反対側には、固定片８が嵌合される凹部９ｃが形成されている。
【００４３】
ケース体２の固定片８には、貫通孔９ａにねじ部５ａが挿入され、ワッシャー１２を介してナット１０により押圧された挟持部材９が固定片８を挟み込んで固定ボルト５が取り付けられ、固定バンド１１の固定片１１ａには、固定ボルト５のねじ部５ａが貫通孔１１ｂに挿通されナット１０により固定されている。
【００４４】
固定ボルト５の取り付けは、はじめに、一方のねじ部５ａにナット１０、ワッシャー１２、一組の挟持部材９、ワッシャー１２、ナット１０を順に取り付け、他方のねじ部５ａには、ナット１０、ワッシャー１２、固定片バンド１１の固定片１１ａ、ワッシャー１２、ナット１０を順に取り付けてナットを締め、固定片バンドに固定ボルト５を固定する。
【００４５】
つぎに、スライドパイプ４の所定の位置に固定片バンド１１を外嵌し、ボルト１１ｃによって固定し、固定ボルト５のねじ部５ａに取り付けられた挟持部材９の間隔を固定片８の厚さより若干大きく調整し、挟持部材９を固定片８に両側から当接させる。そして、挟持部材９の両側に位置したナット１０を締め付けて固定ボルト５の固定片８への固定を終了する。
【００４６】
伸縮可撓管１の配管終了後に固定ボルト５を取り外すには、挟持部材９の両側ナット１０を緩め、固定片バンド１１のボルト・ナット１１ｃを外すことによって行われる。
【００４７】
固定ボルト５が、伸縮可撓管１の左右２個所の可動部分にそれぞれ跨って取り付けられているので、第１実施例と同様に吊金具２ｃにワイヤー等を掛けて伸縮可撓管１を吊り上げても屈曲したり伸縮したりすることがなく、搬送時や配管接続時において不用意に可動部が作動することが防止されている。
【００４８】
固定ボルト５は、挟持部材９で固定片８を挟みこんで取り付けられているので、挟持部材９を押圧しているナット１０を緩めることによって取り外すことができ、固定片８を挟み込むナット１０を大きく移動させたり、ねじ部５ａより取り外したりすることなく、固定片８からの着脱を行うことができる。
【００４９】
また、固定片８を締め付けている挟持部材９が、固定ボルト５から固定片９方向に突出して設けられているので、固定片８は、ケース体２からの突出量が少なくても固定ボルト５を取り付けることができる。
【００５０】
さらに、固定片バンド１１は、着脱自在であるので、伸縮可撓管１を設置した後に取り外すことができ、回収して固定ボルト５と同様に再使用することができる。
【００５１】
以上、本発明の実施例を図面により説明してきたが、本発明の具体的な構成はこれに限定されるものではない。
【００５２】
実施例では、ケース体に設けられた固定片は一体に形成されているが、別体で製作して着脱可能に取り付けてもよい。
【００５３】
また、固定片は左右対称に２個所に設けられているが、軸対称に３箇所やまたは４箇所に設けてもよい。
【００５４】
ケース体の配管部材との接続部がフランジに形成されているが、挿し口や受け口あるいは溶接用開先であってもよい。
【００５５】
伸縮可撓管に用いた例を示しているが、仕切弁の左右に可動機構を設けて接続部が形成してある仕切弁装置に用いてもよい。
【００５６】
【発明の効果】
本発明によれば、固定片の方向に突出して設けられた挟持部材で固定片を挟み込むことができるので、挟持部材で固定片を押圧することによって架橋部材を取り付けることができ、押圧をとくことによって取り外すことができるので、架橋部材を大きく移動させる作業がなくる。よって、架橋部材の固定片への取り付け、取り外しの作業能率が向上する。
また、固定片の突出量が少なくても可動部分を跨いで架橋部材を取り付けることができるので、仮固定装置を取り外したあとの可動配管部材に残る固定片を小さくすることができるばかりか、加工し難い固定片に穴や切欠き等の加工が不要になる。
【００５７】
請求項２の発明によれば、挟持部材で固定片を挟み込み、ねじ部に螺入した一対のナットを挟持部材の両側から締め付けるだけで架橋部材を固定片に固定することができ、また、ナットを緩めるだけで固定片から架橋部材を外すことができる。よって、ナットの締め付け、緩めという簡単な作業で、固定片への架橋部材の取り付け、取り外しを行うことができる。
また、架橋部材に設けた挟持部材と、ねじ部と、ナットとの簡単な構造で固定片に固定できるので軽量で安価な仮固定装置を提供することができる。
【００５８】
請求項３の発明によれば、挟持部材が架橋部材に対して回転しないので、架橋部材を固定片に取り付ける際に、挟持部材が安定して取り付け作業が行いやすく、作業性が向上する。
【００５９】
請求項４の発明によれば、挟持部材の凹部に固定片が嵌合されるので、固定片を外側から挟持部材で挟み込んだときに、固定片に対して挟持部材が回転することがなくなり、取り付け作業が行いやすく、作業性が向上する。
【００６０】
【図面の簡単な説明】
【図１】本発明の第１実施例を示す正面図である。
【図２】同じく、側面図である。
【図３】同じく、Ｉ−Ｉ断面図である。
【図４】同じく、（ａ）は挟持部材の正面図、（ｂ）は中央断面図である。
【図５】本発明の第２実施例を示す正面図である。
【図６】同じく、側面図である。
【図７】同じく、II−II断面図である。
【図８】同じく、（ａ）は挟持部材の正面図、（ｂ）は中央断面図である。
【図９】従来例を示す（ａ）は正面図、（ｂ）は側面図、（ｃ）は拡大断面図である。
【符号の説明】
１          伸縮可撓管（可動配管部材）
２          ケース体
２ａ        フランジ
２ｂ        パッキン
２ｃ        吊金具
３          ボール体
３ａ        パッキン
４          スライドパイプ
４ａ        ストッパー
５          固定ボルト（架橋部材）
５ａ        ねじ部
５ｂ        嵌合溝
６          押輪
７          ストッパリング
８          固定片
８ａ        係合溝
９          挟持部材
９ａ        貫通孔
９ｂ        凸部
９ｃ        凹部
１０        ナット
１１        固定片バンド
１１ａ      固定片
１１ｂ      貫通孔
１１ｃ      ボルト・ナット
１２        ワッシャー
【図１】
0004172860.tif 000002
【図２】
0004172860.tif 000003
【図３】
0004172860.tif 000004
【図４】
0004172860.tif 000005
【図５】
0004172860.tif 000006
【図６】
0004172860.tif 000007
【図７】
0004172860.tif 000008
【図８】
0004172860.tif 000009
【図９】
0004172860.tif 000010